(57)【要約】【課題】所定の端末装置に表示された画像にマーキング等を施した画像データを他の端末装置に低コストで転送することができる画像データ転送システムを提供すること。【解決手段】ネットワーク２０に接続された教師用端末装置３０と、ｎ個の学習者用端末装置４０と、画像データの転送を制御する制御装置５０とを有し、教師用端末装置３０および学習者用端末装置４０は、ＴＣＰに基づいてネットワーク２０間における通信を行い、ＵＤＰに基づいたマルチキャスト通信によって分割された画像データを送受信する通信手段を備える構成とすることにより、マーキング等を施した画像データを低コストで転送できるようにした。【選択図】  図１
2005020427.tif 000002
【特許請求の範囲】
【請求項１】
画像を表示する画像表示手段と、前記画像表示手段にカーソルを表示し、前記カーソルを操作する操作手段と、前記カーソルの軌跡を含む画像のデータを捕捉して所定の分割単位で複数の分割画像データに分割する画像データ捕捉手段と、データ通信における誤り訂正手順を含む第１の通信プロトコルに基づいてネットワークと通信し、前記誤り訂正手順を含まない第２の通信プロトコルに基づいて前記分割画像データを送受信する通信手段とを備えたことを特徴とする端末装置。
【請求項２】
画像を表示する画像表示手段と、前記画像表示手段にカーソルを表示し、前記カーソルを操作する操作手段と、前記カーソルの軌跡を含む画像のデータを捕捉して所定の分割単位で複数の分割画像データに分割する画像データ捕捉手段と、データ通信における誤り訂正手順を含む第１の通信プロトコルに基づいてネットワークと通信し、前記誤り訂正手順を含まない第２の通信プロトコルに基づいて前記分割画像データを送受信するとともに、所定の通信プロトコルに基づいて前記操作手段の操作信号を送受信する通信手段とを備えたことを特徴とする端末装置。
【請求項３】
ネットワークに接続された端末装置と、画像データの転送を制御する制御装置とを有し、
前記端末装置は、画像を表示する画像表示手段と、前記画像表示手段にカーソルを表示し、前記カーソルを操作する操作手段と、前記カーソルの軌跡を含む画像のデータを捕捉して所定の分割単位で複数の分割画像データに分割する画像データ捕捉手段と、データ通信における誤り訂正手順を含む第１の通信プロトコルに基づいて前記ネットワークと通信し、前記誤り訂正手順を含まない第２の通信プロトコルに基づいて前記分割画像データを送受信する端末側通信手段とを備え、
前記制御装置は、前記第１の通信プロトコルに基づいて前記端末装置と通信する制御側通信手段と、前記分割画像データの転送を制御する転送制御手段とを備えたことを特徴とする画像データ転送システム。
【請求項４】
ネットワークに接続された端末装置と、画像データの転送を制御する制御装置とを有し、
前記端末装置は、画像を表示する画像表示手段と、前記画像表示手段にカーソルを表示し、前記カーソルを操作する操作手段と、前記カーソルの軌跡を含む画像のデータを捕捉して所定の分割単位で複数の分割画像データに分割する画像データ捕捉手段と、データ通信における誤り訂正手順を含む第１の通信プロトコルに基づいて前記ネットワークと通信し、前記誤り訂正手順を含まない第２の通信プロトコルに基づいて前記分割画像データを送受信するとともに、所定の通信プロトコルに基づいて前記操作手段の操作信号を送受信する端末側通信手段とを備え、
前記制御装置は、前記第１の通信プロトコルに基づいて前記端末装置と通信する制御側通信手段と、前記分割画像データの転送を制御する転送制御手段とを備えたことを特徴とする画像データ転送システム。
【請求項５】
前記端末装置は、前記分割画像データを前記分割単位ごとに画像圧縮する画像圧縮手段と、画像圧縮された前記分割画像データを前記分割単位ごとに画像伸張する画像伸張手段とを備えたことを特徴とする請求項３または請求項４に記載の画像データ転送システム。
【請求項６】
前記制御装置は、前記分割画像データが転送された前記端末装置における前記分割画像データの処理に係るプロセスの優先度を予め定められた条件に応じて制御する優先度制御手段を備えたことを特徴とする請求項３から請求項５までのいずれかに記載の画像データ転送システム。
【請求項７】
ネットワークに接続された端末装置と、画像データの転送を制御する制御装置とを有し、
前記端末装置は、画像を表示する端末側画像表示手段と、前記端末側画像表示手段にカーソルを表示し、前記カーソルを操作する端末側操作手段と、前記カーソルの軌跡を含む画像のデータを捕捉して所定の分割単位で複数の分割画像データに分割する端末側画像データ捕捉手段と、データ通信における誤り訂正手順を含む第１の通信プロトコルに基づいて前記ネットワークと通信し、前記誤り訂正手順を含まない第２の通信プロトコルに基づいて前記分割画像データを送受信する端末側通信手段とを備え、
前記制御装置は、画像を表示する制御側画像表示手段と、前記制御側画像表示手段にカーソルを表示し、前記カーソルを操作する制御側操作手段と、前記カーソルの軌跡を含む画像のデータを捕捉して前記分割単位で複数の分割画像データに分割する制御側画像データ捕捉手段と、前記第１の通信プロトコルに基づいて前記ネットワークと通信し、前記第２の通信プロトコルに基づいて前記分割画像データを送受信する制御側通信手段と、前記分割画像データの転送を制御する転送制御手段とを備えたことを特徴とする画像データ転送システム。
【請求項８】
ネットワークに接続された端末装置と、画像データの転送を制御する制御装置とを有し、
前記端末装置は、画像を表示する端末側画像表示手段と、前記端末側画像表示手段にカーソルを表示し、前記カーソルを操作する端末側操作手段と、前記カーソルの軌跡を含む画像のデータを捕捉して所定の分割単位で複数の分割画像データに分割する端末側画像データ捕捉手段と、データ通信における誤り訂正手順を含む第１の通信プロトコルに基づいて前記ネットワークと通信し、前記誤り訂正手順を含まない第２の通信プロトコルに基づいて前記分割画像データを送受信するとともに、所定の通信プロトコルに基づいて前記端末側操作手段の操作信号を送受信する端末側通信手段とを備え、
前記制御装置は、画像を表示する制御側画像表示手段と、前記制御側画像表示手段にカーソルを表示し、前記カーソルを操作する制御側操作手段と、前記カーソルの軌跡を含む画像のデータを捕捉して前記分割単位で複数の分割画像データに分割する制御側画像データ捕捉手段と、前記第１の通信プロトコルに基づいてネットワークと通信し、前記第２の通信プロトコルに基づいて前記分割画像データを送受信するとともに、所定の通信プロトコルに基づいて前記制御側操作手段の操作信号を送受信する制御側通信手段と、前記分割画像データの転送を制御する転送制御手段とを備えたことを特徴とする画像データ転送システム。
【請求項９】
前記端末装置および前記制御装置は、前記分割画像データを前記分割単位ごとに画像圧縮する画像圧縮手段と、画像圧縮された前記分割画像データを前記分割単位ごとに画像伸張する端末側画像伸張手段とを備えたことを特徴とする請求項７または請求項８に記載の画像データ転送システム。
【請求項１０】
前記制御装置は、前記分割画像データが転送された前記端末装置および前記制御装置における前記分割画像データの処理に係るプロセスの優先度を予め定められた条件に応じて制御する優先度制御手段を備えたことを特徴とする請求項７から請求項９までのいずれかに記載の画像データ転送システム。
【請求項１１】
前記画像表示手段は、前記転送制御手段によって転送された前記画像データの転送元の端末装置の使用者情報を表示することを特徴とする請求項３から請求項１０までのいずれかに記載の画像データ転送システム。
【発明の詳細な説明】
【０００１】
【発明の属する技術分野】
本発明は、ネットワークに接続された端末装置に画像データを転送する画像データ転送システムに関する。
【０００２】
【従来の技術】
従来の画像データ転送システムは、複数の生徒用サブシステムと、教師用サブシステムと、ケーブルとを有し、各生徒用サブシステムは、パソコンと、ＣＲＴと、ＣＲＴに表示する画像を選択する生徒画面制御部とを備え、教師用サブシステムは、コマンドを実行する操作パネルと、生徒用画面制御部を制御する制御部と、画像にマーキング等を施す座標入力装置と、ＣＲＴとを備え、ケーブルは、教師用サブシステムから生徒用サブシステムに画像データを伝送するケーブルと、生徒用サブシステムから教師用サブシステムに画像データを伝送するケーブルと、制御部から出力される制御信号を伝送するケーブルとを備えている。
【０００３】
従来の画像データ転送システムは、まず、操作パネルによって生徒画面受信を処理するコマンドが実行される。次いで、制御部によって生徒画面制御部が操作され、生徒用サブシステムのＣＲＴに表示されている画像のデータが教師用サブシステムに転送され、教師用サブシステムのＣＲＴに画像が表示される。
【０００４】
引き続き、座標入力装置によって教師用サブシステムのＣＲＴに表示された画像にマーキング等が施される。次いで、操作パネルによって生徒への画像の送信を処理するコマンドが実行される。そして、制御部によって生徒画面制御部が操作され、マーキング等が施された画像データが生徒用サブシステムに転送されＣＲＴに表示される。
【０００５】
以上のように、従来の画像データ転送システムは、生徒用サブシステムと教師用サブシステムとを３本のケーブルで接続し、生徒用サブシステムのＣＲＴに表示されている画像を教師用サブシステムのＣＲＴに表示して教師がマーキング等を施し、マーキング等が施された画像データを生徒用サブシステムに転送してＣＲＴに表示させ、教師から生徒への指導を支援することができるようになっている（例えば、特許文献１参照。）。
【０００６】
【特許文献１】
特開２００１−１９５０４５号公報（第６−９頁、第１図）
【０００７】
【発明が解決しようとする課題】
しかしながら、このような従来の画像データ転送システムでは、画像データおよび制御信号の伝送に３本のケーブルを必要とするので、生徒用サブシステムの台数が増加するに従ってケーブルの接続およびメンテナンス等が煩雑になるという問題があった。
【０００８】
また、従来の画像データ転送システムでは、マーキング等を施すことができるのは制御部を有する教師用サブシステムに限られ、生徒用サブシステムのいずれかでマーキング等を施した画像データを他の生徒用サブシステムまたは教師用サブシステムに転送できるようにするには、全ての生徒用サブシステムにそれぞれ制御部を追加する必要があるので、システム構築の費用が膨大になるという問題があった。
【０００９】
本発明は、このような問題を解決するためになされたものであり、端末装置間を１本のケーブルで接続することができ、所定の端末装置に表示された画像にマーキング等を施した画像データを他の端末装置に低コストで転送することができる画像データ転送システムを提供するものである。
【００１０】
【課題を解決するための手段】
本発明の端末装置は、画像を表示する画像表示手段と、前記画像表示手段にカーソルを表示し、前記カーソルを操作する操作手段と、前記カーソルの軌跡を含む画像のデータを捕捉して所定の分割単位で複数の分割画像データに分割する画像データ捕捉手段と、データ通信における誤り訂正手順を含む第１の通信プロトコルに基づいてネットワークと通信し、前記誤り訂正手順を含まない第２の通信プロトコルに基づいて前記分割画像データを送受信する通信手段とを備えたことを特徴とする構成を有している。
【００１１】
この構成により、通信手段は、誤り訂正手順を含む第１の通信プロトコルに基づく通信制御コマンドによってネットワークと通信し、誤り訂正手順を含まない第２の通信プロトコルに基づくマルチキャスト通信によって分割画像データを送受信するので、端末装置間を１本のケーブルで接続することができ、所定の端末装置に表示された画像に操作手段でマーキング等を施した画像データを他の端末装置に低コストで転送することができる。
【００１２】
また、本発明の端末装置は、画像を表示する画像表示手段と、前記画像表示手段にカーソルを表示し、前記カーソルを操作する操作手段と、前記カーソルの軌跡を含む画像のデータを捕捉して所定の分割単位で複数の分割画像データに分割する画像データ捕捉手段と、データ通信における誤り訂正手順を含む第１の通信プロトコルに基づいてネットワークと通信し、前記誤り訂正手順を含まない第２の通信プロトコルに基づいて前記分割画像データを送受信するとともに、所定の通信プロトコルに基づいて前記操作手段の操作信号を送受信する通信手段とを備えたことを特徴とする構成を有している。
【００１３】
この構成により、通信手段は、誤り訂正手順を含む第１の通信プロトコルに基づく通信制御コマンドによってネットワークと通信し、誤り訂正手順を含まない第２の通信プロトコルに基づくマルチキャスト通信によって分割画像データを送受信するとともに、所定の通信プロトコルに基づいて描画軌跡のデータを送受信するので、端末装置間を１本のケーブルで接続することができ、所定の端末装置に表示された画像に操作手段による遠隔操作でマーキング等を施した画像データを他の端末装置に低コストで転送することができる。
【００１４】
本発明の画像データ転送システムは、ネットワークに接続された端末装置と、画像データの転送を制御する制御装置とを有し、前記端末装置は、画像を表示する画像表示手段と、前記画像表示手段にカーソルを表示し、前記カーソルを操作する操作手段と、前記カーソルの軌跡を含む画像のデータを捕捉して所定の分割単位で複数の分割画像データに分割する画像データ捕捉手段と、データ通信における誤り訂正手順を含む第１の通信プロトコルに基づいて前記ネットワークと通信し、前記誤り訂正手順を含まない第２の通信プロトコルに基づいて前記分割画像データを送受信する端末側通信手段とを備え、前記制御装置は、前記第１の通信プロトコルに基づいて前記端末装置と通信する制御側通信手段と、前記分割画像データの転送を制御する転送制御手段とを備えたことを特徴とする構成を有している。
【００１５】
この構成により、端末側通信手段は、誤り訂正手順を含む第１の通信プロトコルに基づく通信制御コマンドによってネットワークと通信し、誤り訂正手順を含まない第２の通信プロトコルに基づくマルチキャスト通信によって分割画像データを送受信するので、端末装置間を１本のケーブルで接続することができ、所定の端末装置に表示された画像に操作手段でマーキング等を施した画像データを他の端末装置に低コストで転送することができる。
【００１６】
また、本発明の画像データ転送システムは、ネットワークに接続された端末装置と、画像データの転送を制御する制御装置とを有し、前記端末装置は、画像を表示する画像表示手段と、前記画像表示手段にカーソルを表示し、前記カーソルを操作する操作手段と、前記カーソルの軌跡を含む画像のデータを捕捉して所定の分割単位で複数の分割画像データに分割する画像データ捕捉手段と、データ通信における誤り訂正手順を含む第１の通信プロトコルに基づいて前記ネットワークと通信し、前記誤り訂正手順を含まない第２の通信プロトコルに基づいて前記分割画像データを送受信するとともに、所定の通信プロトコルに基づいて前記操作手段の操作信号を送受信する端末側通信手段とを備え、前記制御装置は、前記第１の通信プロトコルに基づいて前記端末装置と通信する制御側通信手段と、前記分割画像データの転送を制御する転送制御手段とを備えたことを特徴とする構成を有している。
【００１７】
この構成により、端末側通信手段は、誤り訂正手順を含む第１の通信プロトコルに基づく通信制御コマンドによってネットワークと通信し、誤り訂正手順を含まない第２の通信プロトコルに基づくマルチキャスト通信によって分割画像データを送受信するとともに、所定の通信プロトコルに基づいて操作手段の操作信号を送受信するので、端末装置間を１本のケーブルで接続することができ、所定の端末装置に表示された画像に操作手段による遠隔操作でマーキング等を施した画像データを他の端末装置に低コストで転送することができる。
【００１８】
さらに、本発明の画像データ転送システムは、前記端末装置は、前記分割画像データを前記分割単位ごとに画像圧縮する画像圧縮手段と、画像圧縮された前記分割画像データを前記分割単位ごとに画像伸張する画像伸張手段とを備えたことを特徴とする構成を有している。
【００１９】
この構成により、端末側通信手段は、誤り訂正手順を含まない第２の通信プロトコルに基づくマルチキャスト通信によって、画像圧縮された分割画像データを送受信するので、ネットワークの負荷を軽減することができる。
【００２０】
さらに、本発明の画像データ転送システムは、前記制御装置は、前記分割画像データが転送された前記端末装置における前記分割画像データの処理に係るプロセスの優先度を予め定められた条件に応じて制御する優先度制御手段を備えたことを特徴とする構成を有している。
【００２１】
この構成により、優先度制御手段は、端末装置の動作状況に応じて、転送された分割画像データの処理に係るプロセスの優先度を変更し、転送された分割画像データの処理を優先して実行させることができるので、分割画像データ受信時において分割画像データの受信ミスを減少させることができ、分割画像データ受信後において分割画像データを効率よく処理することができる。
【００２２】
さらに、本発明の画像データ転送システムは、ネットワークに接続された端末装置と、画像データの転送を制御する制御装置とを有し、前記端末装置は、画像を表示する端末側画像表示手段と、前記端末側画像表示手段にカーソルを表示し、前記カーソルを操作する端末側操作手段と、前記カーソルの軌跡を含む画像のデータを捕捉して所定の分割単位で複数の分割画像データに分割する端末側画像データ捕捉手段と、データ通信における誤り訂正手順を含む第１の通信プロトコルに基づいて前記ネットワークと通信し、前記誤り訂正手順を含まない第２の通信プロトコルに基づいて前記分割画像データを送受信する端末側通信手段とを備え、前記制御装置は、画像を表示する制御側画像表示手段と、前記制御側画像表示手段にカーソルを表示し、前記カーソルを操作する制御側操作手段と、前記カーソルの軌跡を含む画像のデータを捕捉して前記分割単位で複数の分割画像データに分割する制御側画像データ捕捉手段と、前記第１の通信プロトコルに基づいて前記ネットワークと通信し、前記第２の通信プロトコルに基づいて前記分割画像データを送受信する制御側通信手段と、前記分割画像データの転送を制御する転送制御手段とを備えたことを特徴とする構成を有している。
【００２３】
この構成により、端末側通信手段および制御側通信手段は、誤り訂正手順を含む第１の通信プロトコルに基づく通信制御コマンドによってネットワークと通信し、誤り訂正手順を含まない第２の通信プロトコルに基づくマルチキャスト通信によって分割画像データを送受信するので、端末装置間を１本のケーブルで接続することができ、所定の端末装置に表示された画像に操作手段でマーキング等を施した画像データを他の端末装置に低コストで転送することができる。
【００２４】
さらに、本発明の画像データ転送システムは、ネットワークに接続された端末装置と、画像データの転送を制御する制御装置とを有し、前記端末装置は、画像を表示する端末側画像表示手段と、前記端末側画像表示手段にカーソルを表示し、前記カーソルを操作する端末側操作手段と、前記カーソルの軌跡を含む画像のデータを捕捉して所定の分割単位で複数の分割画像データに分割する端末側画像データ捕捉手段と、データ通信における誤り訂正手順を含む第１の通信プロトコルに基づいて前記ネットワークと通信し、前記誤り訂正手順を含まない第２の通信プロトコルに基づいて前記分割画像データを送受信するとともに、所定の通信プロトコルに基づいて前記端末側操作手段の操作信号を送受信する端末側通信手段とを備え、前記制御装置は、画像を表示する制御側画像表示手段と、前記制御側画像表示手段にカーソルを表示し、前記カーソルを操作する制御側操作手段と、前記カーソルの軌跡を含む画像のデータを捕捉して前記分割単位で複数の分割画像データに分割する制御側画像データ捕捉手段と、前記第１の通信プロトコルに基づいてネットワークと通信し、前記第２の通信プロトコルに基づいて前記分割画像データを送受信するとともに、所定の通信プロトコルに基づいて前記制御側操作手段の操作信号を送受信する制御側通信手段と、前記分割画像データの転送を制御する転送制御手段とを備えたことを特徴とする構成を有している。
【００２５】
この構成により、端末側通信手段および制御側通信手段は、誤り訂正手順を含む第１の通信プロトコルに基づく通信制御コマンドによってネットワークと通信し、誤り訂正手順を含まない第２の通信プロトコルに基づくマルチキャスト通信によって分割画像データを送受信するとともに、所定の通信プロトコルに基づいて操作手段の操作信号を送受信するので、端末装置間を１本のケーブルで接続することができ、所定の端末装置に表示された画像に操作手段による遠隔操作でマーキング等を施した画像データを他の端末装置に低コストで転送することができる。
【００２６】
さらに、本発明の画像データ転送システムは、前記端末装置および前記制御装置は、前記分割画像データを前記分割単位ごとに画像圧縮する画像圧縮手段と、画像圧縮された前記分割画像データを前記分割単位ごとに画像伸張する端末側画像伸張手段とを備えたことを特徴とする構成を有している。
【００２７】
この構成により、端末側通信手段および制御側通信手段は、誤り訂正手順を含まない第２の通信プロトコルに基づくマルチキャスト通信によって、画像圧縮された分割画像データを送受信するので、ネットワークの負荷を軽減することができる。
【００２８】
さらに、本発明の画像データ転送システムは、前記制御装置は、前記分割画像データが転送された前記端末装置および前記制御装置における前記分割画像データの処理に係るプロセスの優先度を予め定められた条件に応じて制御する優先度制御手段を備えたことを特徴とする構成を有している。
【００２９】
この構成により、優先度制御手段は、端末装置の動作状況に応じて、転送された分割画像データの処理に係るプロセスの優先度を変更し、転送された分割画像データの処理を優先して実行させることができるので、分割画像データ受信時において分割画像データの受信ミスを減少させることができ、分割画像データ受信後において分割画像データを効率よく処理することができる。
【００３０】
さらに、本発明の画像データ転送システムは、前記画像表示手段は、前記転送制御手段によって転送された前記画像データの転送元の端末装置の使用者情報を表示することを特徴とする構成を有している。
【００３１】
この構成により、転送先の端末装置の使用者は、転送元の端末装置の使用者の氏名等を容易に把握することができる。
【００３２】
【発明の実施の形態】
以下、本発明の実施の形態について図面を参照して説明する。なお、本実施の形態の画像データ転送システムは、パーソナルコンピュータによる授業支援システムにおける画像データを転送する場合を例として説明する。
【００３３】
まず、本実施の形態の画像データ転送システムの構成について説明する。
【００３４】
図１に示すように、本実施の形態の画像データ転送システム１０は、ネットワーク２０に接続された教師用端末装置３０と、ｎ個の学習者用端末装置４０（４０ａ〜４０ｎ）と、画像データの転送を制御する制御装置５０とを有している。教師用端末装置３０、学習者用端末装置４０、および制御装置５０は、それぞれ、複数の処理を同時に実行するマルチタスク機能を備えた所定のオペレーティングシステム（以下、単にＯＳという。）によって動作するようになっている。なお、教師用端末装置３０および学習者用端末装置４０は、端末装置を構成している。
【００３５】
ネットワーク２０は、データ通信における誤り訂正手順を含む第１の通信プロトコルおよび誤り訂正手順を含まない第２の通信プロトコルに基づき、所定のパケットによって制御コマンドおよび画像データを１本のケーブルによって伝送するようになっている。
【００３６】
ここで、誤り訂正手順とは、例えば、ネットワーク２０を介して教師用端末装置３０から学習者用端末装置４０にパケットを送信する場合、教師用端末装置３０から送信されたパケットと異なるパケット、すなわち誤りを含むパケットを学習者用端末装置４０が受信したとき、誤りを訂正するため、教師用端末装置３０が同じパケットを学習者用端末装置４０に再送信する手順をいう。
【００３７】
なお、以下の説明において、第１の通信プロトコルおよび第２の通信プロトコルとして、それぞれ、ＴＣＰ（Ｔｒａｎｓｍｉｓｓｉｏｎ  Ｃｏｎｔｒｏｌ  Ｐｒｏｔｏｃｏｌ）およびＵＤＰ（Ｕｓｅｒ  Ｄａｔａｇｒａｍ  Ｐｒｏｔｏｃｏｌ）を例に挙げる。ＴＣＰは、データ通信における通信の開始および終了の手順とパケットの誤り訂正手順とを含んでいる。一方、ＵＤＰは、パケットの誤り訂正手順を省略し、ネットワーク内の複数の端末装置を指定して同じデータを一斉に送信するマルチキャスト通信、単一のアドレスを指定して特定の端末装置にデータを送信するユニキャスト通信、および不特定多数の端末装置に対してデータを送信するブロードキャスト通信ができるようになっている。
【００３８】
教師用端末装置３０は、図２に示すように、ＴＣＰに基づいてネットワーク２０と通信し、ＵＤＰに基づいて画像データを送受信する送受信処理部３１と、画像表示部３７に表示された画像のデータを捕捉して所定の分割単位で複数の分割画像データに分割する画像キャプチャ処理部３２と、操作信号を入力する操作入力部３３と、操作入力部３３から出力された操作信号を処理するイベント処理部３４と、画像を描画処理する画像描画処理部３５と、画像表示部３７に所定の画像を表示し、操作入力部３３に画像データの転送操作をさせる転送操作用ＧＵＩ（Ｇｒａｐｈｉｃａｌ  Ｕｓｅｒ  Ｉｎｔｅｒｆａｃｅ）部３６と、画像を表示する画像表示部３７とを備えている。
【００３９】
送受信処理部３１は、データ送受信回路、マイクロプロセッサ、メモリ等によって構成され、ネットワーク２０上の固有のアドレスを有している。また、送受信処理部３１は、ＴＣＰに基づく通信制御コマンドによってネットワーク２０に接続された装置と通信し、ＵＤＰに基づくマルチキャスト通信によって分割画像データを送受信するようになっている。なお、送受信処理部３１は、通信制御コマンドおよび分割画像データを所定のデータサイズのパケットに分割して他の装置と通信するようになっている。
【００４０】
画像キャプチャ処理部３２は、マイクロプロセッサ、メモリ等によって構成され、教師用端末装置３０を動作させるＯＳから画像表示部３７に表示された１画面分の画像データを捕捉するようになっている。また、画像キャプチャ処理部３２は、１画面分の画像データを所定の分割単位で分割し、分割単位ごとに画像圧縮した後、表示位置情報を付加し、送受信処理部３１を介して例えば毎秒１〜２画面分の画像データをネットワーク２０に送出するようになっている。
【００４１】
操作入力部３３は、キーボードおよびマウス、トラックボール、ペン等のポインティングデバイス等によって構成され、キー入力および画像描写等の操作と、画像表示部３７に表示されたカーソルの操作とを行うようになっている。また、操作入力部３３は、カーソルを操作することによって、学習者用端末装置４０から転送され、画像表示部３７に表示された画像に矢印、丸印、下線等の描画軌跡（以下、単にマーキングという。）を施すことができるようになっている。
【００４２】
イベント処理部３４は、マイクロプロセッサ、メモリ等によって構成され、操作入力部３３によって操作された信号を取得し、取得した操作信号を送受信処理部３１および転送操作用ＧＵＩ部３６に出力するようになっている。また、イベント処理部３４は、送受信処理部３１を介し、他の端末装置において遠隔操作のために操作された操作信号を第１の通信プロトコルに基づくＴＣＰ通信によって受信し、転送操作用ＧＵＩ部３６に出力するようになっている。
【００４３】
画像描画処理部３５は、マイクロプロセッサ、メモリ等によって構成され、送受信処理部３１がＵＤＰに基づくマルチキャスト通信によって受信した分割画像データを分割単位ごとに画像伸張した後、表示位置情報に基づき画像データをメモリに記憶するようになっている。
【００４４】
転送操作用ＧＵＩ部３６は、マイクロプロセッサ、メモリ等によって構成され、所定のウィンドウおよびアイコン等の画像を画像表示部３７に表示し、操作入力部３３で処理させるようになっている。また、転送操作用ＧＵＩ部３６は、イベント処理部３４から出力された操作信号に基づき、文字、記号、カーソル等を画像表示部３７に表示するようになっている。
【００４５】
画像表示部３７は、例えば液晶ディスプレイで構成され、画像描画処理部３５によって描画処理された画像および転送操作用ＧＵＩ部３６によって表示されたウィンドウおよびアイコン等の画像を表示するようになっている。なお、タッチパネルを備えた液晶ディスプレイによって画像表示部３７を構成してもよい。
【００４６】
学習者用端末装置４０は、図３に示すように、それぞれ、ＴＣＰに基づいてネットワーク２０と通信し、ＵＤＰに基づいて画像データを送受信する送受信処理部４１と、画像表示部４７に表示された画像のデータを捕捉して所定の分割単位で複数の分割画像データに分割する画像キャプチャ処理部４２と、操作信号を入力する操作入力部４３と、操作入力部４３から出力された操作信号を処理するイベント処理部４４と、画像を描画処理する画像描画処理部４５と、画像表示部４７に所定の画像を表示し、操作入力部４３に画像データの転送操作をさせる転送操作用ＧＵＩ部４６と、画像を表示する画像表示部４７とを備えている。
【００４７】
送受信処理部４１は、データ送受信回路、マイクロプロセッサ、メモリ等によって構成され、ネットワーク２０上の固有のアドレスを有している。また、送受信処理部４１は、ＴＣＰに基づく通信制御コマンドによってネットワーク２０に接続された装置と通信し、ＵＤＰに基づくマルチキャスト通信によって分割画像データを送受信するようになっている。なお、送受信処理部４１は、通信制御コマンドおよび分割画像データを所定のデータサイズのパケットに分割して他の装置と通信するようになっている。
【００４８】
画像キャプチャ処理部４２は、マイクロプロセッサ、メモリ等によって構成され、学習者用端末装置４０を動作させるＯＳから画像表示部４７に表示された１画面分の画像データを捕捉するようになっている。また、画像キャプチャ処理部４２は、１画面分の画像データを所定の分割単位で分割し、分割単位ごとに画像圧縮した後、表示位置情報を付加し、送受信処理部４１を介して例えば毎秒１〜２画面分の画像データをネットワーク２０に送出するようになっている。
【００４９】
操作入力部４３は、キーボードおよびマウス、トラックボール、ペン等のポインティングデバイス等によって構成され、キー入力および画像描写等の操作と、画像表示部４７に表示されたカーソルの操作とを行うようになっている。また、操作入力部４３は、カーソルを操作することによって、教師用端末装置３０または他の学習者用端末装置４０から転送され、画像表示部４７に表示された画像にマーキングを施すことができるようになっている。
【００５０】
イベント処理部４４は、マイクロプロセッサ、メモリ等によって構成され、操作入力部４３によって操作された信号を取得し、取得した操作信号を送受信処理部４１および転送操作用ＧＵＩ部４６に出力するようになっている。また、イベント処理部４４は、送受信処理部４１を介し、他の端末装置において遠隔操作のために操作された操作信号を第１の通信プロトコルに基づくＴＣＰ通信によって受信し、転送操作用ＧＵＩ部４６に出力するようになっている。
【００５１】
画像描画処理部４５は、マイクロプロセッサ、メモリ等によって構成され、送受信処理部４１がＵＤＰに基づくマルチキャスト通信によって受信した分割画像データを分割単位ごとに画像伸張した後、表示位置情報に基づき画像データをメモリに記憶するようになっている。
【００５２】
転送操作用ＧＵＩ部４６は、マイクロプロセッサ、メモリ等によって構成され、所定のウィンドウおよびアイコン等の画像を画像表示部４７に表示し、操作入力部４３で処理させるようになっている。また、転送操作用ＧＵＩ部４６は、イベント処理部４４から出力された操作信号に基づき、文字、記号、カーソル等を画像表示部４７に表示するようになっている。
【００５３】
画像表示部４７は、例えば液晶ディスプレイで構成され、画像描画処理部４５によって描画処理された画像および転送操作用ＧＵＩ部４６によって表示されたウィンドウおよびアイコン等の画像を表示するようになっている。なお、タッチパネルを備えた液晶ディスプレイによって画像表示部４７を構成してもよい。
【００５４】
制御装置５０は、図４に示すように、ＴＣＰに基づいてネットワーク２０と通信する送受信処理部５１と、データを記憶するデータ記憶部５２と、操作信号を入力する操作入力部５３と、操作入力部５３から出力された操作信号を処理するイベント処理部５４と、画像表示部５６に所定の画像を表示し、操作入力部５３にシステムの制御をさせるシステム制御用ＧＵＩ部５５と、画像を表示する画像表示部５６とを備えている。
【００５５】
送受信処理部５１は、データ送受信回路、マイクロプロセッサ、メモリ等によって構成され、ネットワーク２０上の固有のアドレスを有している。送受信処理部５１は、ＴＣＰに基づく通信制御コマンドによってネットワーク２０に接続された装置と通信するようになっている。なお、送受信処理部５１は、通信制御コマンドを所定のデータサイズのパケットに分割して他の装置と通信するようになっている。
【００５６】
データ記憶部５２は、ハードディスクドライブ、光磁気ディスクドライブ等によって構成され、学習者情報、プロセス優先度設定データ、授業用画像データ等を記憶するようになっている。
【００５７】
ここで、学習者情報とは、学習者用端末装置４０を使用する学習者のユーザＩＤ、パスワード、氏名、顔写真データ等の情報をいう。また、プロセス優先度設定データとは、予め定められたプロセスの優先度を設定するデータをいう。また、授業用画像データとは、教師が授業で使用する画像データをいう。なお、データ記憶部５２は、学習者が入力したユーザＩＤおよびパスワードに基づき、学習者用端末装置４０の使用者を認識し、使用者の氏名、顔写真データ等の情報が取得できるデータベースを備えている。
【００５８】
操作入力部５３は、キーボードおよびマウス、トラックボール、ペン等のポインティングデバイス等によって構成され、キー入力および画像描写等を行うようになっている。
【００５９】
イベント処理部５４は、マイクロプロセッサ、メモリ等によって構成され、操作入力部５３によって操作された信号を取得し、システム制御用ＧＵＩ部５５に出力するようになっている。また、イベント処理部５４は、送受信処理部５１によって受信された操作信号をシステム制御用ＧＵＩ部５５に出力するようになっている。
【００６０】
システム制御用ＧＵＩ部５５は、マイクロプロセッサ、メモリ等によって構成され、所定のウィンドウおよびアイコン等の画像を画像表示部５６に表示し、操作入力部５３で処理させるようになっている。また、システム制御用ＧＵＩ部５５は、イベント処理部５４から出力された操作信号に基づき、文字、記号、カーソル等を画像表示部５６に表示するようになっている。さらに、システム制御用ＧＵＩ部５５は、分割画像データが転送された又は転送する端末装置におけるＯＳの動作情報を取得し、このＯＳの動作情報に基づき、転送された又は転送する分割画像データの処理に係るプロセスの優先度を設定するようになっている。
【００６１】
ここで、転送された又は転送する分割画像データの処理に係るプロセスとは、分割画像データが転送された又は転送する端末装置において、分割画像データを受信してから分割画像データに基づく画像を表示するまで又は１画面分の画像データを捕捉してからネットワークに送出するまでの間に同時に実行されるプロセス（以下、単に受信表示プロセス又は画像データ送信プロセスという。）をいう。この受信表示プロセスは、画像データ受信プロセス、画像データ伸張プロセス、および画像データ表示プロセスを含んでいる。また、この画像データ送信プロセスは、画像データ捕捉プロセス、画像データ分割プロセス、画像データ圧縮プロセス、画像データ送信プロセスを含んでいる。
【００６２】
教師用端末装置３０および学習者用端末装置４０を動作させるＯＳは、優先度が高いプロセスを先に処理するスケジューラを有している。システム制御用ＧＵＩ部５５は、スケジューラを参照しながら受信表示プロセスの優先度を変更し、転送される分割画像データを取りこぼしなく確実に受信するよう、また、受信した分割画像データの処理が効率よく実行されるよう教師用端末装置３０および学習者用端末装置４０を制御するようになっている。
【００６３】
画像表示部５６は、例えば液晶ディスプレイで構成され、システム制御用ＧＵＩ部５５によって描画処理されたウィンドウおよびアイコン等の画像を表示するようになっている。なお、タッチパネルを備えた液晶ディスプレイによって画像表示部５６を構成してもよい。
【００６４】
次に、本実施の形態の画像データ転送システム１０の動作について、図５（ａ）および図５（ｂ）に示された２つのマーキング処理手順に基づいて説明する。
【００６５】
図５（ａ）は、第１のマーキング処理手順の概要を示しており、学習者用端末装置４０ａに表示された画像を教師用端末装置３０に転送し、教師用端末装置３０でマーキング処理を施した後、全ての学習者用端末装置４０に転送するものである。
【００６６】
一方、図５（ｂ）は、第２のマーキング処理手順の概要を示しており、学習者用端末装置４０ａに表示された画像を教師用端末装置３０に転送し、教師用端末装置３０におけるマーキング操作の操作信号を学習者用端末装置４０ａに送信し、学習者用端末装置４０ａにおいてマーキング処理し、マーキングを含む画像データを教師用端末装置３０および全ての学習者用端末装置４０に転送するものである。
【００６７】
最初に、第１のマーキング処理手順を説明する。
【００６８】
図６において、まず、システム制御用ＧＵＩ部５５によって、端末装置を選択する選択画像が描画処理され画像表示部５６に表示される（ステップＳ１１）。次いで、操作入力部５３によって、画像データを転送する転送元および転送先の端末装置が指定される（ステップＳ１２）。
【００６９】
ここで、転送元の端末装置として学習者用端末装置４０ａが指定され、マーキングが施される対象の画像データは、学習者用端末装置４０ａに表示された画像の画像データとなる。また、教師用端末装置３０が転送先の端末装置として指定される。
【００７０】
引き続き、システム制御用ＧＵＩ部５５によって、イベント処理部５４を介して受信された転送元の端末装置を指定した指定信号に基づき、ＴＣＰにより画像データ転送指示コマンドが転送元の端末装置である学習者用端末装置４０ａに送信され、また、ＴＣＰにより画像データ受信指示コマンドが転送先の端末装置である教師用端末装置３０に送信される（ステップＳ１３）。ここで、学習者用端末装置４０ａには、ＴＣＰに基づく通信制御コマンドにより教師用端末装置３０のマルチキャストＩＰ（Ｉｎｔｅｒｎｅｔ  Ｐｒｏｔｏｃｏｌ）アドレス情報が送信される。
【００７１】
そして、図６の画像データ転送処理（ステップＳ１４）が図７に示す処理により実行される。
【００７２】
図７において、まず、学習者用端末装置４０ａの画像キャプチャ処理部４２によって、画像表示部４７に表示された画像のデータがＯＳから捕捉される（ステップＳ２１）。続いて、画像キャプチャ処理部４２によって、画像データが所定の分割単位、例えば１６キロバイトごとに分割される（ステップＳ２２）。さらに、画像キャプチャ処理部４２によって、分割された分割画像データが、例えばＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式によって分割単位ごとに画像圧縮される（ステップＳ２３）。その後、分割単位ごとに表示位置情報が付加される（ステップＳ２４）。
【００７３】
そして、送受信処理部４１によって、ＵＤＰに基づくマルチキャスト通信により分割単位ごとに画像圧縮された分割画像データがマルチキャストＩＰアドレスで指定された教師用端末装置３０に転送される（ステップＳ２５）。このとき、システム制御用ＧＵＩ部５５によって、学習者用端末装置４０ａの使用者の情報が教師用端末装置３０に送信される。
【００７４】
引き続き、図６の画像データ受信処理（ステップＳ１５）が図８に示す処理により実行される。
【００７５】
図８において、まず、教師用端末装置３０の送受信処理部３１によって、マルチキャスト通信により転送された分割画像データが受信される（ステップＳ３１）。次いで、画像描画処理部３５によって、分割画像データが分割単位ごとに画像伸張され（ステップＳ３２）、画像表示位置情報が取得され、画像表示位置が決定される（ステップＳ３３）。さらに、画像描画処理部３５によって、画像データがメモリに記憶される（ステップＳ３４）。
【００７６】
そして、画像表示部３７によって、メモリに記憶された画像データが読み出され、学習者用端末装置４０ａに表示された画像および使用者の氏名、顔写真等を表したウィンドウが画像表示部３７に表示され（ステップＳ３５）、図６に示されたステップＳ１６に進む。なお、教師は、操作入力部３３を操作することによって、使用者の氏名、顔写真等を表したウィンドウを任意の位置に移動することができる。
【００７７】
引き続き、操作入力部３３によって、画像表示部３７に表示された画像にマーキングが施される（ステップＳ１６）。次いで、操作入力部５３によって、画像データを転送する転送元および転送先の端末装置が指定される（ステップＳ１７）。さらに、システム制御用ＧＵＩ部５５によって、ＴＣＰにより画像データ転送指示コマンドが転送元の端末装置である教師用端末装置３０に送信され、また、ＴＣＰにより画像データ受信指示コマンドが転送先の端末装置である学習者用端末装置４０ａ〜４０ｎに送信される（ステップＳ１８）。ここで、教師用端末装置３０には、ＴＣＰに基づく通信制御コマンドにより学習者用端末装置４０ａ〜４０ｎのマルチキャストＩＰアドレス情報が送信される。
【００７８】
さらに、教師用端末装置３０を転送元の端末装置とし、全ての学習者用端末装置４０を転送先の端末装置として、前述の画像データ転送処理が実行される（ステップＳ１９）。そして、全ての学習者用端末装置４０を転送先の端末装置として、前述の画像データ受信処理が実行される（ステップＳ２０）。
【００７９】
前述のように、教師用端末装置３０から送信されたマーキングを含む分割画像データは、ＵＤＰに基づくマルチキャスト通信によって全ての学習者用端末装置４０に一斉に転送され、教師用端末装置３０の画像表示部３７に表示された画像と同期した画像が全ての学習者用端末装置４０の画像表示部４７に表示される。
【００８０】
次に、第２のマーキング処理手順を説明する。
【００８１】
図９において、まず、システム制御用ＧＵＩ部５５によって、端末装置を選択する選択画像が描画処理され画像表示部５６に表示される（ステップＳ４１）。次いで、操作入力部５３によって、画像データを転送する転送元および転送先の端末装置が指定される（ステップＳ４２）。
【００８２】
ここで、転送元の端末装置として学習者用端末装置４０ａが指定され、教師用端末装置３０の遠隔操作によりマーキングが施される対象の画像データは、学習者用端末装置４０ａに表示された画像の画像データとなる。また、教師用端末装置３０および学習者用端末装置４０ｂ〜４０ｎが転送先の端末装置として指定される。
【００８３】
引き続き、システム制御用ＧＵＩ部５５によって、イベント処理部５４を介して受信された転送元の端末装置を指定した指定信号に基づき、ＴＣＰにより画像データ転送指示コマンドが転送元の端末装置である学習者用端末装置４０ａに送信され、また、ＴＣＰにより画像データ受信指示コマンドが転送先の端末装置である教師用端末装置３０に送信される（ステップＳ４３）。ここで、学習者用端末装置４０ａには、ＴＣＰに基づく通信制御コマンドにより教師用端末装置３０のマルチキャストＩＰアドレス情報が送信される。
【００８４】
続いて、学習者用端末装置４０ａを転送元の端末装置とし、教師用端末装置３０を転送先の端末装置として、前述の画像データ転送処理が実行される（ステップＳ４４）。さらに、教師用端末装置３０を転送先の端末装置として、前述の画像データ受信処理が実行される（ステップＳ４５）。
【００８５】
そして、図９のマーキング処理（ステップＳ４６）が図１０に示す処理により実行される。
【００８６】
図１０において、まず、操作入力部３３によって、画像表示部３７に表示された画像にマーキングが施される（ステップＳ５１）。次いで、送受信処理部３１によって、例えばＴＣＰに基づき、イベント処理部３４が取得したマーキングの操作信号が学習者用端末装置４０ａのイベント処理部４４に送信される（ステップＳ５２）。そして、イベント処理部４４によって、受信した操作信号に基づいてマーキングが画像表示部４７に表示される（ステップＳ５３）。
【００８７】
次いで、操作入力部５３によって、画像データを転送する転送元および転送先の端末装置が指定される（ステップＳ５４）。さらに、システム制御用ＧＵＩ部５５によって、イベント処理部５４を介して受信された転送元の端末装置を指定した指定信号に基づき、ＴＣＰにより画像データ転送指示コマンドが転送元の端末装置である学習者用端末装置４０ａに送信され、また、ＴＣＰにより画像データ受信指示コマンドが転送先の端末装置である学習者用端末装置４０ｂ〜４０ｎに送信される（ステップＳ５５）。ここで、学習者用端末装置４０ａには、ＴＣＰに基づく通信制御コマンドにより学習者用端末装置４０ｂ〜４０ｎのマルチキャストＩＰアドレス情報が送信される。
【００８８】
引き続き、学習者用端末装置４０ａを転送元の端末装置とし、教師用端末装置３０および学習者用端末装置４０ｂ〜４０ｎを転送先の端末装置として、前述の画像データ転送処理が実行される（ステップＳ５６）。さらに、教師用端末装置３０および学習者用端末装置４０ｂ〜４０ｎを転送先の端末装置として、前述の画像データ受信処理が実行される（ステップＳ５７）。
【００８９】
そして、転送操作用ＧＵＩ部３６によって、マーキングが終了したか否かが判断され（ステップＳ５８）、マーキングが終了したと判断された場合は処理を終了し、マーキングが終了したと判断されなかった場合はステップＳ５１に戻る。
【００９０】
次に、システム制御用ＧＵＩ部５５によって、ＴＣＰに基づく通信制御コマンドにより実行される受信表示プロセスの優先度制御処理について、図１１を参照して説明する。なお、前述の第１のマーキング処理手順において、全ての学習者用端末装置４０がマーキング処理後の画像データを受信する場合について説明する。受信表示プロセスの優先度制御処理は、画像データの転送先である全ての学習者用端末装置４０において前述のステップＳ２０における画像データ受信処理の開始とともに実行される。
【００９１】
図１１において、まず、データ記憶部５２から予め読み出されたプロセス優先度設定データに基づき、受信表示プロセスの優先度の初期値が設定される（ステップＳ６１）。プロセスの優先度を数値が大きいほど優先度が高くなる０〜３１までの３２段階で設定する場合、受信表示プロセスに含まれる各プロセスの優先度が、例えば、それぞれ１６に初期設定される。なお、システム制御用ＧＵＩ部５５に優先度設定のウィンドウを表示させ、操作入力部５３の操作によって受信表示プロセスの優先度が初期設定されるよう構成してもよい。
【００９２】
引き続き、ＯＳのスケジューラを参照することによりＯＳの動作情報が学習者用端末装置４０ごとに取得される（ステップＳ６２）。
【００９３】
続いて、ＯＳの動作情報に基づいて受信表示プロセスの優先度を変更するか否かが判断される（ステップＳ６３）。ここで、受信表示プロセスの優先度を変更すると判断された場合は、受信表示プロセスの優先度が現在の優先度よりも高い値または低い値に変更される（ステップＳ６４）。例えば、画像データの受信プロセスを優先させる場合は、画像データ受信プロセスの優先度が現在の値より高い値に変更される。
【００９４】
なお、受信表示プロセスの優先度を変更する場合、受信表示プロセスに含まれる各プロセスの優先度をプロセスごとに変更してもよいし、受信表示プロセスに含まれる全てのプロセスの優先度を一括して同じ優先度に設定してもよい。
【００９５】
一方、ステップＳ６３において、受信表示プロセスの優先度を変更すると判断されなかった場合は、ステップＳ６２に戻る。
【００９６】
そして、画像データの受信が終了したか否かが判断され（ステップＳ６５）、画像データの受信が終了したと判断された場合は、受信表示プロセスの優先度制御処理を終了し、画像データの受信が終了したと判断されなかった場合は、ステップＳ６２に戻る。
【００９７】
なお、図１２に示すように、前述の教師用端末装置３０および制御装置５０を統合し、１台のパーソナルコンピュータで構成した制御装置６０を備える構成としてもよい。この構成により、教師は、授業および画像データの転送制御を１台のコンピュータで行うことができる。
【００９８】
また、前述のＴＣＰおよびＵＤＰは、本実施の形態を説明するための一例であり、第１の通信プロトコルおよび第２の通信プロトコルは、それぞれＴＣＰおよびＵＤＰに限定されるものではない。また、マルチキャスト通信に代えて、ユニキャスト通信によって分割画像データを特定の端末装置に転送するようにしてもよい。
【００９９】
また、操作入力部３３または操作入力部４３は、操作手段を構成している。画像描画処理部３５または画像描画処理部４５は、画像伸張手段を構成している。画像表示部３７または画像表示部４７は、画像表示手段を構成している。画像キャプチャ処理部３２または画像キャプチャ処理部４２は、画像データ捕捉手段、端末側画像データ捕捉手段、制御側画像データ捕捉手段、および画像圧縮手段を構成している。システム制御用ＧＵＩ部５５は、転送制御手段および優先度制御手段を構成している。送受信処理部３１または送受信処理部４１は、通信手段および端末側通信手段を構成し、送受信処理部５１は制御側通信手段を構成している。
【０１００】
以上のように、本実施の形態の画像データ転送システム１０によれば、送受信処理部３１および送受信処理部４１は、ＴＣＰに基づく通信制御コマンドによってネットワーク２０に接続された各端末装置と通信し、ＵＤＰに基づくマルチキャスト通信によって分割画像データを送受信する構成としたので、端末装置間を１本のケーブルで接続することができ、所定の端末装置に表示された画像にマーキング等を施した画像データを他の端末装置に低コストで転送することができる。
【０１０１】
また、本実施の形態の画像データ転送システム１０によれば、画像キャプチャ処理部３２および画像キャプチャ処理部４２は、画像データを所定の分割単位ごとに分割する構成としたので、ネットワーク２０上において分割画像データのパケットが消失した場合の影響を受け難くすることができ、画像表示部３７および画像表示部４７に表示される画像の乱れを低減することができる。
【０１０２】
さらに、本実施の形態の画像データ転送システム１０によれば、画像キャプチャ処理部３２および画像キャプチャ処理部４２は、画像圧縮された分割画像データをネットワーク２０に送出するので、ネットワーク２０の負荷を軽減することができる。
【０１０３】
さらに、本実施の形態の画像データ転送システム１０によれば、教師用端末装置３０と制御装置５０とを１台または２台のパーソナルコンピュータで構成することができるので、システム構成を柔軟に決定することができる。
【０１０４】
なお、本実施の形態の画像データ転送システム１０の動作についての説明における転送元および転送先の端末装置の組み合わせに限定されるものではない。例えば、転送元の端末装置を学習者用端末装置４０のいずれかとし、転送先の端末装置を他の１つの学習者用端末装置４０または複数の学習者用端末装置４０としても前述の効果と同様な効果を得ることができる。
【０１０５】
【発明の効果】
以上説明したように、本発明によれば、端末装置間を１本のケーブルで接続することでき、所定の端末装置に表示された画像にマーキング等を施した画像データを他の端末装置に低コストで転送することができる画像データ転送システムを提供することができる。
【図面の簡単な説明】
【図１】本発明の実施の形態の画像データ転送システムのブロック図
【図２】本発明の実施の形態の教師用端末装置のブロック図
【図３】本発明の実施の形態の学習者用端末装置のブロック図
【図４】本発明の実施の形態の制御装置のブロック図
【図５】（ａ）第１のマーキング処理手順の説明図
（ｂ）第２のマーキング処理手順の説明図
【図６】第１のマーキング処理手順のフローチャート
【図７】画像データ転送処理のフローチャート
【図８】画像データ受信処理のフローチャート
【図９】第２のマーキング処理手順のフローチャート
【図１０】マーキング処理のフローチャート
【図１１】プロセスの優先度制御処理のフローチャート
【図１２】教師用端末装置３０と制御装置５０とを１台のパーソナルコンピュータで構成した例を示すブロック図
【符号の説明】
１０  画像データ転送システム
２０  ネットワーク
３０  教師用端末装置（端末装置）
３１、４１  送受信処理部（通信手段、端末側通信手段）
５１  送受信処理部（制御側通信手段）
３２、４２  画像キャプチャ処理部（画像データ捕捉手段、端末側画像データ捕捉手段、制御側画像データ捕捉手段、画像圧縮手段）
３３、４３  操作入力部（操作手段）
５３  操作入力部
３４、４４、５４  イベント処理部
３５、４５  画像描画処理部（画像伸張手段）
３６、４６  転送操作用ＧＵＩ部
３７、４７  画像表示部（画像表示手段、端末側画像表示手段）
５６  画像表示部（制御側画像表示手段）
４０  学習者用端末装置（端末装置）
５０、６０  制御装置
５２  データ記憶部
５５  システム制御用ＧＵＩ部（転送制御手段、優先度制御手段）
【図１】
2005020427.tif 000003
【図２】
2005020427.tif 000004
【図３】
2005020427.tif 000005
【図４】
2005020427.tif 000006
【図５】
2005020427.tif 000007
【図６】
2005020427.tif 000008
【図７】
2005020427.tif 000009
【図８】
2005020427.tif 000010
【図９】
2005020427.tif 000011
【図１０】
2005020427.tif 000012
【図１１】
2005020427.tif 000013
【図１２】
2005020427.tif 000014